(57)【要約】【課題】  表示部分が見やすく、手にしっかりと固定され、手首の自由度も阻害しない部位に装着可能で、更には着脱が容易で、製造コストも抑えることができる生体情報測定装置用ホルダーを提供する。【解決手段】  生体情報測定装置用ホルダー１は、生体情報測定装置本体固定部２０と指装着部１０と手首装着部３０とから構成される。生体情報測定装置本体固定部２０は、生体情報測定装置本体が固定可能であって、生体情報測定装置用ホルダーを手に装着した際に、手の甲側を覆う。指装着部１０は、当該生体情報測定装置本体固定部２０の手の指側に延出して形成され、手の指のうちの何れかに係止して指に固定する。手首装着部３０は、当該生体情報測定装置本体固定部の手首側に延出してベルト状に形成され、手首の一方側から他方側へ捲回して係止して手首に固定する。【選択図】  図１
2005304563.tif 000002
【特許請求の範囲】
【請求項１】
人体の手に生体情報測定装置本体を装着固定するための生体情報測定装置用ホルダーであって、
生体情報測定装置本体が固定可能であって、生体情報測定装置用ホルダーを手に装着した際に、手の甲側を覆う生体情報測定装置本体固定部と、
当該生体情報測定装置本体固定部の手の指側に延出して形成され、親指を除く手の指のうちの何れかに係止して指に固定することができる指装着部と、
当該生体情報測定装置本体固定部の手首側に延出してベルト状に形成され、手首の一方側から他方側へ捲回して係止して手首に固定することができる手首装着部と、
から構成されることを特徴とする生体情報測定装置用ホルダー。
【請求項２】
前記指装着部は、ベルト状に形成され、先端側の裏面及びその基端側の表面には、雌雄異なる型の面ファスナー又は雌雄混在型の面ファスナーが設けられていることを特徴とする請求項１に記載の生体情報測定装置用ホルダー。
【請求項３】
前記指装着部の先端側及びその基端側に設けられた面ファスナーの間の適宜位置に生体情報測定用センサを係止するための穴が設けられていることを特徴とする請求項２に記載の生体情報測定装置用ホルダー。
【請求項４】
前記指装着部には、指に係止するための穴が設けられていることを特徴とする請求項１に記載の生体情報測定装置用ホルダー。
【請求項５】
前記生体情報測定装置本体固定部には、生体情報測定装置本体に設けられた係止部に係止した後、折り返して、折り返した部分を係止することにより、生体情報測定装置本体を固定することができる折り返し部が設けられていることを特徴とする請求項１乃至４のいずれかに記載の生体情報測定装置用ホルダー。
【請求項６】
前記生体情報測定装置本体固定部に設けられた折り返し部及びその折り返し部が折り返して係止される部分が、雌雄混在型の面ファスナーにより形成されていることを特徴とする請求項５に記載の生体情報測定装置用ホルダー。
【請求項７】
前記生体情報測定装置本体固定部には、一又は複数の穴が設けられていることを特徴とする請求項１乃至６のいずれかに記載の生体情報測定装置用ホルダー。
【請求項８】
前記生体情報測定装置本体固定部には、手首装着部の先端部側を通し、その先端部側を折り返して手首装着部に係止するための折り返し用穴が設けられていることを特徴とする請求項１乃至７のいずれかに記載の生体情報測定装置用ホルダー。
【請求項９】
前記手首装着部の先端部分側の表面及びこの先端部分側が当該生体情報測定装置本体固定部に設けられた折り返し用穴を通され折り返されて接する部分に、雌雄異なる型の面ファスナー又は雌雄混在型の面ファスナーが設けられていることを特徴とする請求項８に記載の生体情報測定装置用ホルダー。
【請求項１０】
伸縮自在の一枚の布部材をベースとして形成されていることを特徴とする請求項１乃至８のいずれかに記載の生体情報測定装置用ホルダー。
【請求項１１】
人体の手の甲に生体情報測定装置本体を装着固定するための生体情報測定装置用ホルダーであって、
当該生体情報測定装置用ホルダーを手に装着した際に、手の指方向、手首の手の小指側側面方向及び手首の手の親指側側面方向への張力により、生体情報測定装置本体固定部に装着された生体情報測定装置本体を固定することを特徴とする生体情報測定装置用ホルダー。
【発明の詳細な説明】
【技術分野】
【０００１】
本発明は、脈拍数を測定して表示する脈拍計、血液中の酸素飽和度を測定して表示するパルスオキシメーター等の生体情報測定装置を人体の手に装着するためのホルダーに関するものである。
【背景技術】
【０００２】
ウォーキングやジョギング等の軽い運動を行なう際に、適切な運度量（運動の強度）を確認・認識する目的で、運動を行なう者の脈拍の測定が行なわれたり、また、体調測定を行なう目的で、 血液中の酸素飽和度の計測が行なわれたり等している。このうち脈拍の測定を一つとっても、運動を行なっている者の脈拍数を測定する際に使用される脈拍計には、胸バンド等を用いて所定の電極を胸に装着し、心臓の活動電圧の時間的変化を検出するものや、指先や耳たぶ等にセンサーを装着して光電脈波を検出するもの等がある。
【０００３】
具体的に例を挙げると、センサ側部分を指（人差し指）にはめて装着する指輪形式に構成する一方、表示側部分を含む装置本体を手首に装着する腕バンド形式に構成した腕装着型脈波計測装置がある（特許文献１）。
【０００４】
しかしながら、このような装置では、表示側部分を含む装置本体を手首に装着すると、長袖のシャツなどを着用していた場合には、そのシャツに隠れて見にくくなったり、比較的激しい運動を行なうと装置本体が手首で回転してしまい表示部分が見にくくなったりする弊害が生じていた。
【０００５】
また、表示側部分を含む装置本体が手首に装着されると、装置本体の厚みや大きさから、手首を自由に曲げにくくなるため、手首の動きの自由度が阻害されてしまっていた。
【０００６】
また、この腕装着型脈波計測装置を装着した後に、センサ部分を装着した使用者の指の一部と使用者の指の根元部から手首部までの手の甲と掌の大部分を覆うことによって安全性を保持し、更にはセンサ部と脈拍計本体とを結合するコードを固定することを目的として装着するグローブも存在する。しかしながら、装着が２度手間であったり、グローブが手の大部分を覆ってしまい手に汗をかきやすくなるため、グローブ自体が手に張り付いてしまい、着脱がしにくくなるという問題もあった。
【０００７】
更に、上述の問題点を解決しつつ、構造が簡単で、製造が容易で、部材の無駄を省いたホルダーを作成できれば、コストの削減も可能となる。
【０００８】
そこで、本発明は、この腕装着型脈波計測装置のような形式の装置が有する問題点に鑑み、表示部分を含む装置本体を手首ではなく、表示部分が見やすく、手にしっかりと固定され、手首の自由度も阻害しない部位に装着可能で、更には着脱が容易で、製造コストも削減でき、生体情報測定装置に広く利用可能なホルダーを提供することをすることを目的とするものである。
【特許文献１】特開平９−１０１８３号公報
【発明の開示】
【発明が解決しようとする課題】
【０００９】
本発明が解決しようとする点は、表示部分を含む装置本体を手首ではなく、表示部分が見やすく、手にしっかりと固定され、手首の自由度を阻害しない部位に装着可能な生体情報測定装置用ホルダーを提供する点にある。
【００１０】
また、本発明が解決しようとする点は、構造が簡単で製作が容易で、製造コストが削減可能な生体情報測定装置用ホルダーを提供する点である。
【００１１】
また、本発明が解決しようとする点は、生体情報測定装置用ホルダーを装着した際に、掌側に部材が接する事をなくし、手を握った場合でも、違和感が生じにくくする点である。
【００１２】
また、本発明が解決しようとする点は、手が汗ばんだ状態等であったとしても、生体情報測定装置用ホルダーの着脱を容易にする点である。
【課題を解決するための手段】
【００１３】
上記課題を解決するために、本発明は、人体の手に生体情報測定装置本体を装着固定するための生体情報測定装置用ホルダーであって、生体情報測定装置本体が固定可能であって、生体情報測定装置用ホルダーを手に装着した際に、手の甲側を覆う生体情報測定装置本体固定部と、当該生体情報測定装置本体固定部の手の指側に延出して形成され、親指を除く手の指のうちの何れかに係止して指に固定することができる指装着部と、当該生体情報測定装置本体固定部の手首側に延出してベルト状に形成され、手首の一方側から他方側へ捲回して係止して手首に固定することができる手首装着部と、から構成されることを特徴とする。
【００１４】
また、前記指装着部は、ベルト状に形成され、先端側の裏面及びその基端側の表面には、雌雄異なる型の面ファスナー又は雌雄混在型の面ファスナーが設けられていることを特徴とする。
【００１５】
また、ベルト状に形成された前記指装着部の先端側及びその基端側に設けられた面ファスナーの間の適宜位置に生体情報測定用センサを係止するための穴が設けられていることを特徴とする。
【００１６】
また、前記指装着部が、ベルト状に形成されていない場合には、指に係止するための穴が設けられていることを特徴とする。
【００１７】
また、前記生体情報測定装置本体固定部には、生体情報測定装置本体に設けられた係止部に係止した後、折り返して、折り返した部分を係止することにより、生体情報測定装置本体を固定することができる折り返し部が設けられていることを特徴とする。
【００１８】
また、前記生体情報測定装置本体固定部に設けられた折り返し部及びその折り返し部が折り返して係止される部分が、雌雄混在型の面ファスナーにより形成されていることを特徴とする。
【００１９】
また、前記生体情報測定装置本体固定部には、一又は複数の穴が設けられていることを特徴とする。
【００２０】
また、前記生体情報測定装置本体固定部には、手首装着部の先端部側を通し、その先端部側を折り返して手首装着部に係止するための折り返し用穴が設けられていることを特徴とする。
【００２１】
また、前記手首装着部の先端部分側の表面及びこの先端部分側が当該生体情報測定装置本体固定部に設けられた折り返し用穴を通され折り返されて接する部分に、雌雄異なる型の面ファスナー又は雌雄混在型の面ファスナーが設けられていることを特徴とする。
【００２２】
また、生体情報測定装置用ホルダーが、伸縮自在の一枚の布部材をベースとして形成されていることを特徴とする。
【００２３】
更に、本発明は、人体の手の甲に生体情報測定装置本体を装着固定するための生体情報測定装置用ホルダーであって、当該生体情報測定装置用ホルダーを手に装着した際に、手の指方向、手首の手の小指側側面方向及び手首の手の親指側側面方向への張力により、生体情報測定装置本体固定部に装着された生体情報測定装置本体を固定することを特徴とする。
【発明の効果】
【００２４】
生体情報測定装置用ホルダーは、生体情報測定装置本体が固定可能であって、生体情報測定装置用ホルダーを手に装着した際に、手の甲側を覆う生体情報測定装置本体固定部と、当該生体情報測定装置本体固定部の手の指側に延出して形成され、親指を除く手の指のうちの何れかに係止して指に固定することができる指装着部と、当該生体情報測定装置本体固定部の手首側に延出してベルト状に形成され、手首の一方側から他方側へ捲回して係止して手首に固定することができる手首装着部と、から構成される。従って、生体情報測定装置用ホルダーには、掌を覆う部分が無い為、手に汗をかいて脱ぎにくくなることも無い。また、掌を覆う部分がないこと及び親指に生体情報測定装置用ホルダーがかからず親指がフリーになることから、手をスムースに動かすことができる。また、手首装着部を手首に捲回して係止できるため、簡単に手に装着することができる。
【００２５】
指装着部は、ベルト状に形成され、先端側の裏面及びその基端側の表面には、雌雄異なる型の面ファスナー又は雌雄混在型の面ファスナーが設けられているため、指装着部を指に捲回して面ファスナー部分を、押しつけたり、引張ったりすることで、容易に着脱することができる。
【００２６】
ベルト状に形成された前記指装着部の先端側及びその基端側に設けられた面ファスナーの間の適宜位置に生体情報測定用センサを係止するための穴が設けられているため、この穴に生体情報測定用センサを装着することもできる。この穴に生体情報測定用センサを装着すれば、生体情報測定装置用ホルダーを手に装着するだけで、生体情報測定装置を手に装着することが可能となる。従って、生体情報測定装置の装着が非常に簡単にできることとなる。
【００２７】
指装着部が、ベルト状に形成され
ず、指を通して指に係止するための穴を設けた場合には、指に装着する際に単に穴に指を通すだけとなるため、生体情報測定用センサ装着用の別パーツを使用するような生体情報測定装置を手に装着することが更に容易になる。特に、生体情報測定用センサが手以外の頭、足等、生体情報装置本体と離れた場所に取付けられるような装置に有用である。
【００２８】
生体情報測定装置本体固定部には、生体情報測定装置本体に設けられた係止部に係止した後、折り返して、折り返した部分を係止することにより、生体情報測定装置本体を固定することができる折り返し部が設けられており、この折り返し部及びその折り返し部が折り返して係止される部分が、雌雄混在型の面ファスナーにより形成されている。従って、この折り返し部を利用することにより、脈拍計本体を簡単に素早く生体情報測定装置用ホルダーに固定することが可能となる。また、その取り外しも簡単で素早く行うことが可能となる。
【００２９】
生体情報測定装置本体固定部には、一又は複数の穴が設けられているため、この穴から汗が蒸発し易くなる一方、手が汗で蒸れ難くなるため、良い装着感が得られる。
【００３０】
生体情報測定装置本体固定部には、手首装着部の先端部側を通し、その先端部側を折り返して手首装着部に係止するための折り返し用穴が設けられていると共に、手首装着部の先端部分側の表面及びこの先端部分側が当該生体情報測定装置本体固定部に設けられた折り返し用穴を通され折り返されて接する部分に、雌雄異なる型の面ファスナー又は雌雄混在型の面ファスナーが設けられているため、手首装着部を捲回して容易に素早く係止することができる。また、生体情報測定装置本体固定部に設けられた折り返し用穴に、手首装着部の先端部側を通し、その先端部側を折り返して手首装着部に係止する構成としたため、手や手首の大きさに拘らず、個々のサイズに合わせてしっかりと装着することが可能となる。
【００３１】
生体情報測定装置用ホルダーは、伸縮自在の一枚の布部材をベースとして形成されている。従って、生体情報測定装置用ホルダーのベースとなる布部材が複数から構成されないため、加工が容易で、製造コストも低く抑えることが可能となる。また、伸縮自在の布部材をベースとするため、生体情報測定装置用ホルダーが装着時に手にフィットしやすくなり、良い装着感を得ることができる。また、指装着部の係止穴に生体情報測定用センサを係止した場合、装着時に生体情報測定装置用ホルダーが指に張り付くようにフィットすることとなり、生体情報測定用センサがしっかりと指表面に好適に押し付けられるため、脈拍等の生体情報をしっかりと計測することができる。
【００３２】
更に、生体情報測定装置用ホルダーを手に装着した際には、手の指方向、手首の手の小指側側面方向及び手首の手の親指側側面方向の三方向からの張力による三点支持で固定されるため、生体情報測定装置本体固定部がしっかりと手の甲に固定される。従って、生体情報測定装置本体固定部に固定された生体情報測定装置本体がぶれ難くなり、生体情報測定装置本体の数値表示も見易くなる。
【発明を実施するための最良の形態】
【００３３】
表示部分を含む生体情報測定装置本体を、手首ではなく、表示部分が見やすく、手にしっかりと固定され、手首の自由度も阻害しない部位に装着可能で、更には着脱が容易で、製造コストも低く抑える目的を、一枚の布部材をベースとして生体情報測定装置用ホルダーを形成することで実現した。
【実施例】
【００３４】
以下、本発明の好適な実施例を図面を参照しながら説明する。尚、本実施例では、脈拍計に使用する場合を例に挙げて説明する。
図１は、本実施例に係る生体情報測定装置用ホルダーの平面図である。図２は、本実施例に係る生体情報測定装置用ホルダー１の底面図である。図３の（１）及び（２）は、本実施例に係る生体情報測定装置用ホルダーの指装着部の変形例を示す平面図である。図４は、脈拍計を生体情報測定装置用ホルダーに装着固定した状態を示す平面図である。図５は、脈拍計本体を生体情報測定装置用ホルダーの生体情報測定装置本体固定部に固定した状態を示す一部切り欠けＡ−Ａ断面図である。図６は、生体情報測定装置用ホルダーを手に装着する動き及び装着時の状態を示す図であり、（１）は装着時の動きを示す図、（２）及び（３）は装着状態を手の甲側の斜め上方及び掌側から見た図である。
【００３５】
これらの図中、１０は指装着部、１１は雄型面ファスナー、１２は雌型面ファスナー、１３はセンサ取付穴、２０は脈拍計本端固定部、２１は雌雄混在型面ファスナー、２２は雌雄混在型面ファスナーの折り返し部、２３はグロメット、２４は折り返し用穴、２５は通気用穴、３０は手首装着部、３１及び３２は雌雄混在型面ファスナー、４０はベースとなる布部材、５０は脈拍計本体、５１は脈拍計本体に設けられた係止部、６０は脈拍センサ部、７０は脈拍計本体と脈拍センサ部を繋ぐコードを示すものである。
【００３６】
本実施例に係る生体情報測定装置用ホルダー１は、一枚の布部材４０をベースとして構成され、各図に示されるように、中央に膨らみをもたせたやや幅広に形成された生体情報測定装置本体固定部２０と、この生体情報測定装置本体固定部２０から手の指側に延出してベルト形状に形成された指装着部１０と、生体情報測定装置本体固定部２０の手首側に延出してベルト状に形成された手首装着部３０とから構成される。この実施例に係る生体情報測定装置用ホルダー１は、右手に装着するタイプのものであり、左手に装着するタイプはこれと線対称に構成される。
【００３７】
布部材４０は、一体に構成されているものであれば良く、積層構造となっていても良いことは勿論である。また、布部材４０は、伸縮可能なものであれば更に良い。本実施例では、伸縮性を有する布部材が使用されている。
【００３８】
生体情報測定装置本体固定部２０には、図１及び図４に示すように、生体情報測定装置本体固定部２０の手首側（生体情報測定装置用ホルダーを装着した際に、人の体に向かう部分側）に沿って指装着部１０近傍から手首装着部３０近傍まで雌雄混在型面ファスナー２１が設けられている。この雌雄混合面ファスナー２１からは、指装着部１０側と手首装着部３０側とから、脈拍計本体５０の係止部５１により形成された穴に差し込んで折り返して面ファスナー同士を係止して、脈拍計本体５０を生体情報測定装置本体固定部２０に固定するための、雌雄混在型面ファスナーの折り返し部２２，２２が対になって対向する位置に突出して設けられている。雌雄混在型面ファスナー２１はベースとなる布部材４０に縫着されているが、この折り返し部２２，２２は、折り返すことができるように、ベースとなる布部材４０に縫着されていない。
【００３９】
この雌雄混在型面ファスナーの折り返し部２２，２２の間には通気用の穴２５が設けられている。本実施例において、通気用の穴は一つであるが、複数設けられても良い事は勿論である。
【００４０】
また、この生体情報測定装置本体固定部２０の手首側には、手首装着部３０の先端側を挿入し折り返して係止するための折り返し用穴２４が設けられている。この折り返し用穴２４を補強すると共にスムースに着脱可能とするため樹脂製のグロメット２３が設けられている。このグロメット２３は、生体情報測定装置用ホルダーの形状、大きさに等によっては、利便性を考慮し必ずしも設けなくても良い。
【００４１】
尚、生体情報測定装置本体固定部２０は、脈拍計本体５０を固定できれば、その形状、大きさ、手段等は問われないものである。
【００４２】
指装着部１０は、生体情報測定装置本体固定部２０の指側に延出してベルト状に形成されている。この指装着部１０は、指に捲回して指に装着するために指と略直角に交わるように形成されていると共に先端側へ向かうに従って若干幅が狭くなるように形成されている。本実施例において指装着部１０は、手首装着部３０が延出して形成される方向と逆方向に延出して形成されているが、同様の構成で指に捲回できれば良いため、図３（１）に示すように、手首装着部３０と同じ方向に延出して形成されても良い。
【００４３】
この指装着部１０の先端部の裏面には、図２に示すように、雌型面ファスナー１２が縫着され、基端部の表面には図１に示すように、雄型面ファスナー１１が縫着されている。指装着部１０を捲回して係止できればよいため、雌雄の面ファスナー型が逆となっても良く、また、雌雄混合型の面ファスナーを用いても良い。
【００４４】
更に、指装着部１０の雌型面ファスナー１２と雄型面ファスナー１１の間の略中間には、脈拍センサを取り付けるためのセンサ取付穴１３が設けられ、そのセンサ取付穴１３がある指装着部１０の生体情報測定装置本体固定部２０に向かう側には、コード７０をホールドし易くする意味で凸部（出っ張り）１４が設けられている。
【００４５】
尚、指装着部１０は、指に巻きつけて固定できれば良く、その長さ、幅、形状も特に問われないものである。更に、本実施例では、指装着部１０は、ベルト状に形成されているが、生体情報測定用センサが別パーツとなっているような場合には、指装着部を指に固定できれば良いため、図３（２）に示すように、指を通し指に係止するための指通し穴１０１を形成しただけの構成としても良い。
【００４６】
手首装着部３０は、各図に示されるように、生体情報測定装置本体固定部２０の手首側に延出してベルト状に形成されている。手首装着部３０の表面の略中間部から先端部にかけては雌雄混合型面ファスナー３１が縫着して設けられ、基端側には先端部を生体情報測定装置本体固定部２０の折り返し用穴２４に通して折り返して係止するための雌雄混合型面ファスナー３２も縫着して設けられている。手首装着部３０は、折り返して係止できれば良いため、全体に雌雄混合型面ファスナーを縫着しても良い。また、係止出来ればよいため、雌雄混合型面ファスナー３１，３２を、雌雄異なる型の面ファスナーで構成しても良い。
【００４７】
尚、手首装着部３０は、折り返して係止できれば良く、その長さ、幅、形状も特に問われないものである。
【００４８】
次に、図４乃至図６を参照しながら、本実施例に係る生体情報測定装置用ホルダーの装着方法について説明する。
先ず、使用者は、生体情報測定装置用ホルダー１を装着する前に、脈拍計本体５０の長手方向両端に設けられた係止部５１，５１により形成された穴に折り返し部２２，２２を通して、折り返して雌雄混合型面ファスナー２１に押圧して面ファスナー同士を係合させ、脈拍計本体５０を固定する。図５においては、この脈拍計本体５０が固定された状態を一部切り欠けＡ−Ａ断面図で示している。また、脈拍センサ部６０をセンサ取付穴１３に固定する。なお、別途脈拍センサユニット等を有する脈拍計である場合には、特にセンサ取付穴１３に脈拍センサ部６０を固定しなくとも良い。
【００４９】
次に、図６（１）に示すように、指装着部１０を指側に、手首装着部３０を手首側に向けて、生体情報測定装置本体固定部２０を手の甲にのせる。そして、指装着部１０を親指を除く何れかの指に捲回して、先端部の裏面側の雌型面ファスナー１２を基端部の表面の雄型面ファスナー１１に押圧して面ファスナー同士を係合させ固定する。尚、本実施例は、人差し指に装着するタイプの生体情報測定装置用ホルダーである。
【００５０】
手首装着部３０は、図６（１）乃至（３）に示すように、手首の外側から下側を通し手首の内側に捲回させ生体情報測定装置用ホルダー１の裏面側から、折り返し用穴２４を先端部から通し、先端部側を手首の下側方向に折り返して、先端部側の雌雄混合型面ファスナー３１を基端側の雌雄混合型面ファスナー３２に押圧して係止める。
【００５１】
本実施例によれば、生体情報測定装置用ホルダー１が、一枚の伸縮自在な布部材４０をベースとして構成され、各図に示されるように、中央に膨らみをもたせたやや幅広に形成された生体情報測定装置本体固定部２０と、この生体情報測定装置本体固定部２０から手の指側に延出してベルト形状の形成された指装着部１０と、生体情報測定装置本体固定部２０の手首側に延出してベルト状に形成された手首装着部３０とから構成される。従って、生体情報測定装置用ホルダー１には、掌を覆う部分が無い為、手に汗をかいて脱ぎにくくなることも無い。また、掌を覆う部分がないこと及び親指に生体情報測定装置用ホルダーがかからず親指がフリーになることから、手をスムースに動かすことができる。また、指装着部１０及び手首装着部３０を、共に捲回して係止できるため、簡単に手に装着することができる。
【００５２】
本実施例によれば、指装着部１０及び手首装着部３０の係止のために、面ファスナーが設けられている。従って、押しつけたり、引張ったりすることで、簡単に着脱することができる。
【００５３】
指装着部１０の先端側及びその基端側に設けられた面ファスナーの間に脈拍センサを係止するためのセンサ取付穴１３が設けられているため、このセンサ取付穴１３に脈拍センサを装着することもできる。このセンサ取付穴１３に脈拍センサを装着すれば、生体情報測定装置用ホルダー１を装着するだけで、脈拍計を手に装着することが可能となる。従って、脈拍計の装着が非常に簡単にできることとなる。
【００５４】
生体情報測定装置本体固定部２０には、脈拍計本体５０に設けられた係止部５１により形成された穴に脈拍計本体５０の裏面側から差し込んだ後、折り返して、折り返した部分を係止することにより、脈拍計本体５０を固定することができる折り返し部２２が設けられており、この折り返し部２２及びその折り返し部２２が折り返して係止される部分が、雌雄混在型の面ファスナー２１により形成されている。従って、この折り返し部２２を利用することにより、脈拍計本体５０を簡単に素早く生体情報測定装置用ホルダー１に固定することが可能となる。また、その取り外しも簡単で素早く行うことが可能となる。
【００５５】
生体情報測定装置本体固定部２０には、通気用穴２５が設けられているため、この穴から汗が蒸発し易くなり、手が汗で蒸れ難くなるため、良い装着感が得られる。
【００５６】
生体情報測定装置本体固定部２０には、手首装着部３０の先端部分側を通し、その先端部側を折り返して手首装着部３０に係止することができる折り返し用穴が設けられていると共に、樹脂製のグロメット２３が設けられているので、手首装着部３０の先端部分をスムースに折り返し用穴２４に通すことができる。
【００５７】
生体情報測定装置用ホルダー１は、伸縮自在の一枚の布部材４０の所定箇所に、面ファスナーを縫着して形成されている。従って、生体情報測定装置用ホルダー１のベースとなる布部材が複数層から構成されず、面ファスナーも縫着で簡単に固着できるため、製造が容易で、製造コストも低く抑えることが可能となる。また、伸縮性を有する布部材４０をベースとするため、生体情報測定装置用ホルダーが装着時に手にフィットしやすくなり、良い装着感を得ることができる。また、指装着部１０のセンサ取付穴１３に脈拍センサを係止した場合、脈拍センサがしっかりと指表面に押し付けられるため、脈拍を安定して計測することができる。
【００５８】
生体情報測定装置用ホルダー１が、指装着部１０により、手の指方向に、手首装着部３０により、手首の手の小指側側面方向及び手首の手の親指側側面方向（手首装着部３０の基端部側に引張ると共に、折り返し用穴２４に手首装着部３０の先端部を通して引張るため）に引張られて三点支持で固定されるため、生体情報測定装置本体固定部２０がしっかりと手の甲に固定される。従って、生体情報測定装置本体固定部２０に固定された脈拍計本体１がぶれ難くなり、脈拍計本体５０の数値表示も見易くなる。
【図面の簡単な説明】
【００５９】
【図１】本実施例に係る生体情報測定装置用ホルダーの平面図である。
【図２】本実施例に係る生体情報測定装置用ホルダーの底面図である。
【図３】（１）及び（２）は、本実施例に係る生体情報測定装置用ホルダーの指装着部の変形例を示す平面図である。
【図４】脈拍計本体を生体情報測定装置用ホルダーの生体情報測定装置本体固定部に固定した状態を示す平面図である。
【図５】脈拍計本体を生体情報測定装置用ホルダーの生体情報測定装置本体固定部に固定した状態の一部切り欠けＡ−Ａ断面図である。
【図６】生体情報測定装置用ホルダーを手に装着する動き及び装着時の状態を示す図であり、（１）は装着時の動きを示す図、（２）及び（３）は装着状態を手の甲側の斜め上方及び掌側から見た図である。
【符号の説明】
【００６０】
１    生体情報測定装置用ホルダー
１０    指装着部
１１    雄型面ファスナー
１２    雌型面ファスナー
１３    センサ取付穴
１４    凸部
２０    生体情報測定装置本体固定部
２１、３１，３２    雌雄混合型面ファスナー
２２    折り返し部
２３    グロメット
２４    折り返し用穴
２５    通気用穴
３０    手首装着部
４０    布部材
５０    脈拍計本体
５１    係止部
６０    脈拍センサ部
７０    コード
１０１    指通し穴
【図１】
2005304563.tif 000003
【図２】
2005304563.tif 000004
【図３】
2005304563.tif 000005
【図４】
2005304563.tif 000006
【図５】
2005304563.tif 000007
【図６】
2005304563.tif 000008